【手続補正書】
【提出日】平成25年11月18日(2013.11.18)
【手続補正１】
【補正対象書類名】明細書
【補正対象項目名】０００６
【補正方法】変更
【補正の内容】
【０００６】
（１）本発明の一例にかかる入力判定プログラムは、上記目的を達成するために、第１入力手段及び第２入力手段からの入力の有無を情報処理装置のコンピュータに判定させ、コンピュータを、第１判定手段、第２判定手段、及び第３判定手段として機能させる。ここで、第１判定手段は、第１入力手段及び第２入力手段のうちの一方に対する入力があってから所定の時間が経過するまでに、第１入力手段及び第２入力手段のうちの他方に対する入力があったか否かを判定する。第２判定手段は、第１入力手段及び第２入力手段のうちの一方に対する入力があった第１タイミングと、第１入力手段及び第２入力手段のうちの他方に対する入力があった第２タイミングとの何れか一方が、第１特定期間内であるか否かを判定する。第３判定手段は、第１判定手段の判定結果及び第２判定手段の判定結果が肯定であるときに、正しいタイミングで第１入力手段及び第２入力手段に対する入力があったと判定する。
【手続補正２】
【補正対象書類名】明細書
【補正対象項目名】０００７
【補正方法】変更
【補正の内容】
【０００７】
上述したように、本発明によれば、第１入力手段への入力及び第２入力手段への入力が全く同時である必要はなく、略同時であると判定可能な所定の時間のずれが許容される。そして、第１入力手段への入力及び第２入力手段への入力のうちの一方が第１特定期間内にあれば正しいタイミングで第１入力手段及び第２入力手段に対する入力があったと判定される。この様に、第１入力手段への入力及び第２入力手段への入力の両方が第１特定期間内にあることが要求されない。このため、操作に習熟していないユーザでも第１入力手段及び第２入力手段への略同時の入力を正しいタイミングで行うことが可能になる。
【手続補正３】
【補正対象書類名】明細書
【補正対象項目名】０００８
【補正方法】変更
【補正の内容】
【０００８】
（２）他の構成例として、上記第１特定期間は、第１入力手段及び第２入力手段の両方への略同時の入力をユーザに要求するための期間であってもよい。本発明によれば、第１入力手段及び第２入力手段への略同時の入力が要求されている第１特定期間において、第１入力手段及び第２入力手段への入力のずれが略同時であると判定可能な所定の時間内であり、かつ何れか一方の入力が第１特定期間内であれば、正しいタイミングで第１入力手段及び第２入力手段に対する入力があったと（略同時にかつ第１特定期間内での操作があったと）判断され、ユーザの第１入力手段及び第２入力手段へ略同時に入力を行うための操作の快適性を向上させることができる。
【手続補正４】
【補正対象書類名】明細書
【補正対象項目名】００１３
【補正方法】変更
【補正の内容】
【００１３】
上記構成によれば、第２特定期間及び第３特定期間については、第１入力手段及び第２入力手段のうちの一方に対する入力があったときに、直ぐに正しいタイミングで入力が行われたか否かの判定を行う。ここで、第１特定期間においては、第１入力手段及び第２入力手段のうちの一方に対する入力があってから所定の時間が経過するまでに他方の入力があるか否かを第１判定手段によって判定するため、他方の入力があるまで又は一方の入力があってから所定の時間が経過するまで、正しい入力が行われたか否かの判定が行われない。
【手続補正５】
【補正対象書類名】明細書
【補正対象項目名】００１４
【補正方法】変更
【補正の内容】
【００１４】
これに対して、第２特定期間では、第１入力手段及び第２入力手段のうちの一方に対する入力があったときには、一旦正しい入力が行われたか否かが判定される。後にこの入力と略同時と判定可能なタイミングで他方に対する入力があれば判定結果が覆る可能性があるが、続く処理を迅速に行うために一旦正しい入力が行われたか否かが判定される。また、第３特定期間では、この期間に入力があったときには必ず不適切な操作となるため、直ちに正しい入力が行われたか否かが判定される。このため、続く処理を迅速に行うことが可能になる。
【手続補正６】
【補正対象書類名】明細書
【補正対象項目名】００２５
【補正方法】変更
【補正の内容】
【００２５】
（１４）本発明の一例にかかる情報処理装置は、上記目的を達成するために、第１入力手段及び第２入力手段からの入力の有無を判定する情報処理装置であって、第１判定手段、第２判定手段、及び第３判定手段を備える。第１判定手段は、第１入力手段及び第２入力手段のうちの一方に対する入力があってから所定の時間が経過するまでに、第１入力手段及び第２入力手段のうちの他方に対する入力があったか否かを判定する。第２判定手段は、第１入力手段及び第２入力手段のうちの一方に対する入力があった第１タイミングと、第１入力手段及び第２入力手段のうちの他方に対する入力があった第２タイミングとの何れか一方が、第１特定期間内であるか否かを判定する。第３判定手段は、第１判定手段の判定結果及び第２判定手段の判定結果が肯定であるときに、正しいタイミングで第１入力手段及び第２入力手段に対する入力があったと判定する。
【手続補正７】
【補正対象書類名】明細書
【補正対象項目名】００２６
【補正方法】変更
【補正の内容】
【００２６】
（１５）本発明の一例にかかるシステムは、上記目的を達成するために、第１入力手段及び第２入力手段からの入力の有無を判定するシステムであって、第１判定手段、第２判定手段、及び第３判定手段を備える。第１判定手段は、第１入力手段及び第２入力手段のうちの一方に対する入力があってから所定の時間が経過するまでに、第１入力手段及び第２入力手段のうちの他方に対する入力があったか否かを判定する。第２判定手段は、第１入力手段及び第２入力手段のうちの一方に対する入力があった第１タイミングと、第１入力手段及び第２入力手段のうちの他方に対する入力があった第２タイミングとの何れか一方が、第１特定期間内であるか否かを判定する。第３判定手段は、第１判定手段の判定結果及び第２判定手段の判定結果が肯定であるときに、正しいタイミングで第１入力手段及び第２入力手段に対する入力があったと判定する。
【手続補正８】
【補正対象書類名】明細書
【補正対象項目名】００２７
【補正方法】変更
【補正の内容】
【００２７】
（１６）本発明の一例にかかる情報処理方法は、上記目的を達成するために、入力判定ステップ、第１判定ステップ第２判定ステップ、及び第３判定ステップを含む。ここで、入力判定ステップでは、第１入力手段及び第２入力手段からの入力の有無を判定する。第１判定ステップでは、第１入力手段及び第２入力手段のうちの一方に対する入力があってから所定の時間が経過するまでに、第１入力手段及び第２入力手段のうちの他方に対する入力があったか否かを判定する。第２判定ステップでは、第１入力手段及び第２入力手段のうちの一方に対する入力があった第１タイミングと、第１入力手段及び第２入力手段のうちの他方に対する入力があった第２タイミングとの何れか一方が、第１特定期間内であるか否かを判定する。第３判定ステップでは、第１判定手段の判定結果及び第２判定手段の判定結果が肯定であるときに、正しいタイミングで第１入力手段及び第２入力手段に対する入力があったと判定する。
【手続補正９】
【補正対象書類名】明細書
【補正対象項目名】００２９
【補正方法】変更
【補正の内容】
【００２９】
本発明によれば、第１入力手段への入力及び第２入力手段への入力が全く同時である必要はなく、略同時であると判定可能な所定の時間のずれが許容される。そして、第１入力手段への入力及び第２入力手段への入力のうちの一方が第１特定期間内にあれば正しいタイミングで第１入力手段及び第２入力手段に対する入力があったと判定される。この様に、第１入力手段への入力及び第２入力手段への入力の両方が第１特定期間内にあることが要求されないため、操作に習熟していないユーザでも第１入力手段及び第２入力手段への略同時の入力を正しいタイミングで行うことができる。ユーザは２種類の操作（第１入力手段への入力及び第２入力手段への入力）のうち何れか一方でも第１特定期間内に入力することができれば、正しいタイミングで入力を行うことができたという感覚を持ち易いが、この様なユーザの入力に関する感覚と実際の入力の適否のずれをなくし、ユーザの入力の快適性を向上させることができる。
【手続補正１０】
【補正対象書類名】特許請求の範囲
【補正対象項目名】全文
【補正方法】変更
【補正の内容】
【特許請求の範囲】
【請求項１】
第１入力手段及び第２入力手段からの入力の有無を情報処理装置のコンピュータに判定させるための入力判定プログラムであって、
前記コンピュータを、
前記第１入力手段及び前記第２入力手段のうちの一方に対する入力があってから所定の時間が経過するまでに、前記第１入力手段及び前記第２入力手段のうちの他方に対する入力があったか否かを判定する第１判定手段、
前記第１入力手段及び前記第２入力手段のうちの一方に対する入力があった第１タイミングと、前記第１入力手段及び前記第２入力手段のうちの他方に対する入力があった第２タイミングとの何れか一方が、第１特定期間内であるか否かを判定する第２判定手段、及び
前記第１判定手段の判定結果及び前記第２判定手段の判定結果が肯定であるときに、正しいタイミングで前記第１入力手段及び第２入力手段に対する入力があったと判定する第３判定手段、
として機能させるための入力判定プログラム。
【請求項２】
前記第１特定期間は、前記第１入力手段及び前記第２入力手段の両方への略同時の入力をユーザに要求するための期間である、
請求項１に記載の入力判定プログラム。
【請求項３】
前記第２判定手段は、前記第２タイミングが前記第１特定期間内であるか否かを判定する、
請求項１又は２に記載の入力判定プログラム。
【請求項４】
前記コンピュータを、
前記第１特定期間以外の期間が到来しているときには、前記第１入力手段及び前記第２入力手段の何れか一方に対する入力があったときに、当該入力に基づいて正しいタイミングで入力が行われたか否かを判定する第４判定手段
として機能させるための請求項１〜３の何れかに記載の入力判定プログラム。
【請求項５】
前記第４判定手段は、前記第１入力手段及び前記第２入力手段のうちの一方に対する入力があってから所定の時間が経過するまでに、前記正しい入力が行われたか否かを判定する、
請求項４に記載の入力判定プログラム。
【請求項６】
前記コンピュータを、
前記第１特定期間として前記第１入力手段及び前記第２入力手段への略同時の入力をユーザに要求するための期間と、前記第１入力手段及び前記第２入力手段の何れか一方への入力をユーザに要求する期間である第２特定期間と、前記第１入力手段及び前記第２入力手段の何れにも入力を要求しない期間である第３特定期間を規定したタイミング判定用データを前記情報処理装置に接続された記憶部に記憶させる手段として機能させ、
前記第４判定手段は、前記タイミング判定用データに基づいて前記第２特定期間又は前記第３特定期間が到来しているときには、前記第１入力手段及び前記第２入力手段の何れか一方に対する入力があったときに、当該入力に基づいて正しいタイミングで入力が行われたか否かを判定する、
請求項５に記載の入力判定プログラム。
【請求項７】
前記第４判定手段は、
前記タイミング判定用データに基づいて前記第２特定期間が到来しているときには、前記第１入力手段及び前記第２入力手段のうちの一方に対する入力が前記第２特定期間にあったときに、正しい入力が行われたと暫定的に判定する入力判定手段、及び
前記第１入力手段及び前記第２入力手段のうちの一方に対する入力があってから所定の時間が経過するまでに、前記第１入力手段及び前記第２入力手段のうちの他方に対する入力があったときには、前記正しい入力が行われたとの暫定的な判定をキャンセルするキャンセル手段、
を備える請求項６に記載の入力判定プログラム。
【請求項８】
前記コンピュータを、
前記入力判定手段によって正しい入力が行われたと暫定的に判定されたときに、当該入力に応じた第１演出を前記情報処理装置に接続された表示部に表示させる演出処理手段、
として機能させる請求項７に記載の入力判定プログラム。
【請求項９】
前記演出処理手段は、前記キャンセル手段によって前記正しい入力が行われたとの暫定的な判定がキャンセルされたときに、前記第１演出から、当該第１演出に連続する内容の別の第２演出に切り替える、
請求項８に記載の入力判定プログラム。
【請求項１０】
前記演出処理手段は、前記第１入力手段及び前記第２入力手段のうちの一方に対する入力があってから所定の時間が経過し、かつ前記キャンセル手段によって前記正しい入力が行われたとの暫定的な判定がキャンセルされなかったときに、前記第１演出から、前記第１演出に連続する内容の別の第３演出に切り替える、
請求項８又は９に記載の入力判定プログラム。
【請求項１１】
前記第４判定手段は、
前記タイミング判定用データに基づいて前記第３特定期間が到来しているときには、前記第１入力手段及び前記第２入力手段のうちの一方に対する入力があったときに、誤ったタイミングで入力が行われたと判定する、
請求項６〜９の何れかに記載の入力判定プログラム。
【請求項１２】
前記コンピュータを、
前記情報処理装置に接続された放音部から楽曲を出力するための音声処理を実行する音声処理手段として機能させる、
請求項１〜１１の何れかに記載の入力判定プログラム。
【請求項１３】
前記コンピュータを、
前記第１タイミングを基準として後又は前後の所定期間内に前記第１特定期間があるか否かを判定する第１特定期間判定手段、
として更に機能させ、
前記第１特定期間判定手段による判定結果が肯定であったときにのみ、前記第１判定手段及び前記第２判定手段として前記コンピュータを機能させる、
請求項１〜１２の何れかに記載の入力判定プログラム。
【請求項１４】
第１入力手段及び第２入力手段からの入力の有無を判定する情報処理装置であって、
前記第１入力手段及び前記第２入力手段のうちの一方に対する入力があってから所定の時間が経過するまでに、前記第１入力手段及び前記第２入力手段のうちの他方に対する入力があったか否かを判定する第１判定手段、
前記第１入力手段及び前記第２入力手段のうちの一方に対する入力があった第１タイミングと、前記第１入力手段及び前記第２入力手段のうちの他方に対する入力があった第２タイミングとの何れか一方が、第１特定期間内であるか否かを判定する第２判定手段、及び
前記第１判定手段の判定結果及び前記第２判定手段の判定結果が肯定であるときに、正しいタイミングで前記第１入力手段及び第２入力手段に対する入力があったと判定する第３判定手段、
を備えた情報処理装置。
【請求項１５】
第１入力手段及び第２入力手段からの入力の有無を判定するシステムであって、
前記第１入力手段及び前記第２入力手段のうちの一方に対する入力があってから所定の時間が経過するまでに、前記第１入力手段及び前記第２入力手段のうちの他方に対する入力があったか否かを判定する第１判定手段、
前記第１入力手段及び前記第２入力手段のうちの一方に対する入力があった第１タイミングと、前記第１入力手段及び前記第２入力手段のうちの他方に対する入力があった第２タイミングとの何れか一方が、第１特定期間内であるか否かを判定する第２判定手段、及び
前記第１判定手段の判定結果及び前記第２判定手段の判定結果が肯定であるときに、正しいタイミングで前記第１入力手段及び第２入力手段に対する入力があったと判定する第３判定手段、
を備えたシステム。
【請求項１６】
第１入力手段及び第２入力手段からの入力の有無を判定する入力判定ステップ、
前記第１入力手段及び前記第２入力手段のうちの一方に対する入力があってから所定の時間が経過するまでに、前記第１入力手段及び前記第２入力手段のうちの他方に対する入力があったか否かを判定する第１判定ステップ、
前記第１入力手段及び前記第２入力手段のうちの一方に対する入力があった第１タイミングと、前記第１入力手段及び前記第２入力手段のうちの他方に対する入力があった第２タイミングとの何れか一方が、第１特定期間内であるか否かを判定する第２判定ステップ、及び
前記第１判定手段の判定結果及び前記第２判定手段の判定結果が肯定であるときに、正しいタイミングで前記第１入力手段及び第２入力手段に対する入力があったと判定する第３判定ステップ、
を含む情報処理方法。